(57)【要約】【課題】  外壁パネルの外装材の面方向の収縮でコーキング材が破れない。【解決手段】  外壁パネル４の下枠材３の外面の下半分を基礎見切り５を固着するための基礎見切り固着面６とする。基礎見切り５の上端部に受け用横片７を設けると共に受け用横片７の先端より上方に固定用縦片８を突設する。固定用縦片８の上端部より受け用横片７の上方位置に対向するように変形自在な追従片９を連出する。基礎見切り５の固定用縦片８をパネル枠２の下枠材３の外面の下半部の基礎見切り固着面６に当接して固着具１０により固着すると共に外装材１の下端面の後部に追従片９を当接する。外装材１の下端面と追従片９と固定用縦片８と受け用横片７とに囲まれたコ字状をした溝部１１にコーキング材１２を充填する。【選択図】        図１
2005315004.tif 000002
【特許請求の範囲】
【請求項１】
外装材の下端部をパネル枠の下枠材の外面の上半分に重ねるように外装材をパネル枠の外面に取着して外壁パネルを形成すると共に、下枠材の外面の下半分を基礎見切りを固着するための基礎見切り固着面とし、基礎見切りの上端部に受け用横片を設けると共に受け用横片の先端より上方に固定用縦片を突設し、該固定用縦片の上端部より受け用横片の上方位置に対向するように変形自在な追従片を連出し、基礎見切りの固定用縦片をパネル枠の下枠材の外面の下半部の基礎見切り固着面に当接して固着具により固着すると共に外装材の下端面の後部に追従片を当接し、外装材の下端面と追従片と固定用縦片と受け用横片とに囲まれたコ字状をした溝部にコーキング材を充填して成ることを特徴とする基礎見切りの外壁パネルへの取付け部分における防水構造。
【請求項２】
追従片をアルミニウム製の基礎見切りとは別体の変形性を有する材料により形成してあることを特徴とする請求項１記載の基礎見切りの外壁パネルへの取付け部分における防水構造。
【請求項３】
追従片をアルミニウム製の基礎見切りと一体に形成すると共に追従片をアルミニウム製の基礎見切りの他の部位よりも薄く形成してあることを特徴とする請求項１記載の基礎見切りの外壁パネルへの取付け部分における防水構造。
【発明の詳細な説明】
【技術分野】
【０００１】
本発明は、基礎見切りを外壁パネルに取付けた部分にコーキング材を充填して防水を行うための技術に関するものである。
【背景技術】
【０００２】
従来から図６に示すように、外装材１の下端部をパネル枠２の下枠材３の外面の上半分に重ねるように外装材１をパネル枠２の外面に取着して外壁パネル４を形成すると共に、下枠材３の外面の下半分を基礎見切り５を固着するための基礎見切り固着面６とし、基礎見切り５の上端部に受け用横片７を設けると共に受け用横片７の先端より上方に固定用縦片８を突設し、基礎見切り５の固定用縦片８をパネル枠２の下枠材３の外面の下半部の基礎見切り固着面６に当接して固着具１０により固着し、外装材１の下端面と固定用縦片８と受け用横片７とに囲まれたコ字状をした溝部１１にコーキング材１２を充填して基礎見切り５の外壁パネル４への取付け部分の防水を行うようにすることが知られている。（例えば、特許文献１、特許文献２参照）
図６に示すような従来例においては、コ字状をした溝部１１にコーキング材１２を充填することで防水を図っているのであるが、コーキング材１２がコ字状の溝部１１の３面である受け用横片７、固定用縦片８、外装材１の下端面に接着したいわゆる３面接着となっている。ところが、施工後、外装材１は面方向に収縮する傾向にあり、この外装材１の面方向の収縮に追従して上記３面接着されたコーキング材１２が上方に引き上げられる引張り力が生じる。しかしながら、固定用縦片８はパネル枠２の下枠材３に固着してあるためコーキング材１２の固定用縦片８に接着した部分は上記上方への引張り力が作用しても上方に伸びないため、外装材１の後端部と固定用縦片８の上端部とのなすコーナ部分からコーキング材１２が破れ、防水性が損なわれるという問題がある。
【０００３】
そこで、これを解決するものとして図７に示すように固定用縦片８の外面にコーキング材１２が接着しない又は接着し難い材料よりなるバックアップ材２４を介在させて、コ字状の溝部１１に充填したコーキング材１２を受け用横片７と外装材１の下端面との２面にだけ接着させるいわゆる２面接着を行うようにすることが考えられている。この従来例においては、外装材１が面方向に収縮してコーキング材１２に上方への引張り力が作用してもコーキング材１２が破れ難くなる。
【０００４】
しかしながら、図７のようにバックアップ材２４を介在させるものにおいては、別途バックアップ材２４を必要とするだけでなく、バックアップ材２４を施工する手間がかかり、施工が面倒になり、更に、外装材１の後端部と固定用縦片８の上端部とのなすコーナ部分の防水や固着具１０による固着部分の防水が十分ではない。
【特許文献１】特開２００２−１０６１４７号公報
【特許文献２】特開平９−４２０４号公報
【発明の開示】
【発明が解決しようとする課題】
【０００５】
本発明は上記の従来の問題点に鑑みて発明したものであって、簡単な構成で外壁パネルの外装材が面方向に収縮してもコーキング材が破れないようにできて、長期間にわたって防水性を確保できる基礎見切りの外壁パネルへの取付け部分における防水構造を提供することを課題とするものである。
【課題を解決するための手段】
【０００６】
上記課題を解決するために本発明に係る基礎見切りの外壁パネルへの取付け部分における防水構造は、外装材１の下端部をパネル枠２の下枠材３の外面の上半分に重ねるように外装材１をパネル枠２の外面に取着して外壁パネル４を形成すると共に、下枠材３の外面の下半分を基礎見切り５を固着するための基礎見切り固着面６とし、基礎見切り５の上端部に受け用横片７を設けると共に受け用横片７の先端より上方に固定用縦片８を突設し、該固定用縦片８の上端部より受け用横片７の上方位置に対向するように変形自在な追従片９を連出し、基礎見切り５の固定用縦片８をパネル枠２の下枠材３の外面の下半部の基礎見切り固着面６に当接して固着具１０により固着すると共に外装材１の下端面の後部に追従片９を当接し、外装材１の下端面と追従片９と固定用縦片８と受け用横片７とに囲まれたコ字状をした溝部１１にコーキング材１２を充填して成ることを特徴とするものである。
【０００７】
このような構成とすることで、コ字状をした溝部１１の内面の３面にコーキング材１２が接着される３面接着となり、外装材１の後端部と固定用縦片８の上端部とのなすコーナ部分の防水や固着具１０による固着部分の防水が十分となるものであり、外装材１が面方向に収縮した場合、この外装材１の面方向の収縮に追従して３面接着されたコーキング材１２が上方に引き上げられる引張り力が生じ、コーキング材１２の外装材１の下端面の前半部に接着された部分が上方に追従して引き上げられると共に、外装材１の下端面の後端部と固定用縦片８の上端部とのなすコーナ部分においては、上記上方への引張り力に追従して追従片９が変形することで、このコーナ部分のコーキング材１２が追従片９と共に追従して変形し、この部分からコーキング材１２が破れるのを防止することができる。
【０００８】
また、追従片９をアルミニウム製の基礎見切り５とは別体の変形性を有する材料により形成することが好ましい。
【０００９】
このような構成とすることで、簡単な構成で基礎見切り５の固定用縦片８の上端部に変形自在な追従片９を連出形成できる。
【００１０】
また、追従片９をアルミニウム製の基礎見切り５と一体に形成すると共に追従片９をアルミニウム製の基礎見切り５の他の部位よりも薄く形成してあることが好ましい。
【００１１】
このような構成とすることで、基礎見切り５をアルミニウムの押出し成形で成形する際に同時に基礎見切り５の固定用縦片８の上端部に変形自在な追従片９を連出形成できる。
【発明の効果】
【００１２】
本発明は、外装材が面方向に収縮した場合、この外装材の面方向の収縮に追従して３面接着されたコーキング材が上方に引き上げられる引張り力が生じ、コーキング材の外装材の下端面の前半部に接着された部分が上方に追従して引き上げられると共に、外装材の下端面の後端部と固定用縦片の上端部とのなすコーナ部分においては、上記上方への引張り力に追従して追従片が変形することで、このコーナ部分のコーキング材が追従片と共に追従して変形し、この部分からコーキング材が破れるのを防止でき、長期間にわたって基礎見切りの外壁パネルへの取付け部分における防水性を確保でき、しかも、従来のようにバックアップ材を介在する必要がないので、部材点数が削減されると共に施工も簡略化され、更に、コーキング材がコ字状をした溝部の内面の３面に接着される３面接着となるので外装材の後端部と固定用縦片の上端部とのなすコーナ部分の防水や固着具による固着部分の防水が十分となるものである。
【発明を実施するための最良の形態】
【００１３】
以下、本発明を添付図面に示す実施形態に基いて説明する。図１に示すように、外壁パネル４はパネル枠２の外面に外装材１を取着して構成してある。また、この外壁パネル４には内面側に内装用面板１３が取着してある。ここで、外装材１はパネル枠２の下枠材３の外面側においては、図１に示すように下枠材３の外面の上半分に重なるように外装材１がパネル枠２に取付けられるものであり、下枠材３の外面の下半分は外装材１に覆われることがなく、この部分が基礎見切り５を固着するための基礎見切り固着面６となっている。パネル枠２の下枠材３の下面には支持溝１４が形成してあり、また、外壁パネル４内には断熱材１５が内装してある。
【００１４】
上記の構成の外壁パネル４は図１に示すように、基礎１６の上面に載設されてアンカーボルト１７により固着されたＬ字状をした支持金具１８の縦片１９の上端部に外壁パネル４の下枠材３の支持溝１４を嵌め込んで建て込むものであり、外壁パネル４の上端部は図示を省略しているが、パネル枠２の上枠材を上連結金具により１階の梁に連結するようになっている。
【００１５】
なお、図中２０は床パネルを示している。
【００１６】
基礎１６と外壁パネル４の下端との間の隙間２１を屋外側において基礎見切り５により覆い隠すようになっている。
【００１７】
基礎見切り５は基礎１６と外壁パネル４の下端との間の隙間２１を覆うための略Ｌ字状をした覆い片２２の縦片の上端部から屋内側に向けて受け用横片７を一体に突出し、更に、受け用横片７の先端より上方に固定用縦片８を一体に突設して基礎見切り本体２３を構成し、この基礎見切り本体２３の固定用縦片８の上端部より受け用横片７の上方位置に対向するように屋外側に向けて横方向に追従片９を連出することで基礎見切り５を形成してある。追従片９は後述の外装材１の収縮力が作用した際に変形可能な変形性を有している。
【００１８】
図２の実施形態では、アルミニウムの押出し成形により基礎見切り本体２３を一体に形成し、この基礎見切り本体２３の固定用縦片８の上端部に合成樹脂やゴム等の変形性を有する追従片９の下端部を貼り付けて固着した構成となっている。
【００１９】
また、図４の実施形態では、アルミニウムの押出し成形により基礎見切り本体２３及び追従片９を一体に成形してあり、この場合、追従片９を変形性を有するように基礎見切り本体２３部分における肉厚よりも薄肉に形成してある。
【００２０】
上記の基礎見切り５の固定用縦片８を図２や図４のように外壁パネル４の下枠材３の外面の下半分の基礎見切り固着面６に当接すると共に外装材１の下端面の後部に追従片９を当接し、この状態で固定用縦片８を下枠材３に固着具１０により固着することで取付けるものである。このようにして基礎見切り５を外壁パネル４の下枠材３に固着することで、外装材１の下端面と追従片９と固定用縦片８と受け用横片７とに囲まれたコ字状をした溝部１１が形成される。このコ字状をした溝部１１にはコーキング材１２が充填されて基礎見切り５の外壁パネル４への取付け部分の防水処理がなされる。コ字状をした溝部１１に充填されたコーキング材１２は図２や図４のように外装材１の下端面と追従片９と固定用縦片８と受け用横片７とに接着される。つまり、コーキング材１２がコ字状の溝部１１の内面の３面に接着される。このように、コ字状をした溝部１１の内面の３面にコーキング材１２が接着される３面接着となり、外装材１の後端部と固定用縦片８の上端部とのなすコーナ部分の防水や固着具１０による固着部分の防水が十分となるものである。
【００２１】
ところで、施工後、外装材１が面方向に収縮すると、外装材１の下端部は図３や図５の矢印方向に移動する。この外装材１の面方向の収縮による矢印方向への移動に追従して上記３面接着されたコーキング材１２が上方に引張られ、図３や図５に示すように外装材１の下端面の前部に接着したコーキング材１２の接着部分が上方に移動すると共に、横向きとなっていた変形性を有する追従片９が上記上方への引張り力により斜め上方に向けて変形し、これによりコーキング材１２の外装材１の下端面の後端部と固定用縦片８の上端部とのなすコーナ部分に位置する追従片９に接着した部位が追従片９の変形に追従して、コーキング材１２の外装材１の下端面の後端部と固定用縦片８の上端部とのなすコーナ部分においてコーキング材１２が破れることがないものであり、コーキング材１２の３面接着状態を維持できる。
【図面の簡単な説明】
【００２２】
【図１】本発明の断面図である。
【図２】本発明の一実施形態の図１のＸ部分の拡大断面図である。
【図３】同上の外装材の収縮による追従片の変形を示す断面図である。
【図４】本発明の他の実施形態の図１のＸ部分の拡大断面図である。
【図５】同上の外装材の収縮による追従片の変形を示す断面図である。
【図６】従来例の拡大断面図である。
【図７】他の従来例の拡大断面図である。
【符号の説明】
【００２３】
１  外装材
２  パネル枠
３  下枠材
４  外壁パネル
５  基礎見切り
６  基礎見切り固着面
７  受け用横片
８  固定用縦片
９  追従片
１０  固着具
１１  溝部
１２  コーキング材
【図１】
2005315004.tif 000003
【図２】
2005315004.tif 000004
【図３】
2005315004.tif 000005
【図４】
2005315004.tif 000006
【図５】
2005315004.tif 000007
【図６】
2005315004.tif 000008
【図７】
2005315004.tif 000009